(57)【要約】【課題】高齢者、要介護人、身体事情により、排泄移動や、自力での排泄後拭き取り困難な人達への身近に設置された排泄装置に自動的な拭き取り装置を提供する。【解決手段】排泄介護装置を、身近な所に設置し、排泄者の臀部に包合シートを押し当てるための包合シート外枠８を股間側に取付けた排泄物導入口ブロック５と、上下動可能な座椅子型排泄介護装置本体１とを備え、排泄物導入口ブロック５が座椅子型排泄介護装置本体１に対して上下方向を軸として時計方向と、反時計方向とに回動し、前後方向と左右方向に平行移動可能な構造の座椅子型排泄介護装置とし、座位状態において、排泄部や排尿部と、排泄介護装置の排泄取り込み包合シート外枠８とを、自動的に案内して位置決め接触させ、排泄後の排泄部や排尿部を拭き取りする事によって、排泄の実行を、誰にも気を使うことなく壮快に実行可能とし、又、介護者の排泄による負担を軽減する。【選択図】図１
2019071980.tif 000002
【特許請求の範囲】
【請求項１】
排泄者の臀部に包合シート（１６）を押し当てるための包合シート外枠（８）を股間側に取付けた排泄物導入口ブロック（５）と、上下動可能な座椅子型排泄介護装置本体（１）とを備え、排泄物導入口ブロック（５）が座椅子型排泄介護装置本体（１）に対して上下方向を軸として時計方向と、反時計方向とに回動し、前後方向と左右方向に平行移動可能な構造の座椅子型排泄介護装置。
【請求項２】
座椅子型排泄介護装置本体（１）の股間側に備えられた自在継ぎ手（２）と、排泄物導入口ブロック（５）の足背側に備えられた自在継ぎ手（２）とを、連結棒（３）の両端部に接続し、座椅子型排泄介護装置本体（１）の股間側と、排泄物導入口ブロック（５）の足背側とを付勢体Ａ（４）によって上下方向に支えあって連結した請求項１に記載の座椅子型排泄介護装置。
【請求項３】
座椅子型排泄介護装置本体（１）の股間側に備えられ、前後方向と左右方向を軸として回動可能な保持ブロック（２ｂ）と、排泄物導入口ブロック（５）の足背側に備えられ前後方向と左右方向とを軸として回動可能な保持ブロック（２ｂ）とを、付勢体Ｃ（２ａ）の両端部に接続し、座椅子型排泄介護装置本体（１）の股間側と、排泄物導入口ブロック（５）の足背側とを付勢体Ａ（４）によって上下方向に支えあって連結した請求項１に記載の座椅子型排泄介護装置。
【請求項４】
包合シート外枠（８）は、上下方向を軸として排泄者の左右両大腿部の内周面に沿って左右対称に湾曲するとともに、左右方向を略軸として排泄者の股間形状に沿って前後方向に湾曲し、中央部が瓢箪型に開口した排泄物取り込み口（９）備え、上下方向に動作可能に、前後方向には左右方向を略軸として回動可能に排泄物導入口ブロック（５）の股間側に取付けられている請求項１〜３の何れか１項に記載の座椅子型排泄介護装置。
【請求項５】
包合シート外枠（８）の瓢箪型中央部左右のくびれ部に設けられた外枠ブロック（８ａ）の、それぞれの上下方向に沿って形成された開口溝部（８ｂ）摺動部には、前後方向に回動可能な前後方向回動軸受け（６ａ）を挿入した軸受けブロック（６ｂ）と、開口溝部（８ｂ）の端面とに、付勢体Ｂ（６）を支え合わせて挿入し、前後方向回動軸受け（６ａ）を排泄物導入口ブロック（５）に接合する事によって、包合シート外枠（８）が前後方向に回動可能に、上下方向に摺動可能な請求項４に記載の座椅子型排泄介護装置。
【請求項６】
座板部（２１）に備えられた包合シートストッカーＢ（１８）又は、排泄介護装置本体（１）の股間側に形成された包合シートストッカーＡ（１７）とから、包合シート（１６）を引き出して排泄物導入口（９）に導き、排泄者の股間部と、包合シート外枠（８）との空間を形成可能とする為の中枠ユニット（３８ｂ）を備えた請求項１〜５の何れか１項に記載の座椅子型排泄介護装置。
【請求項７】
中枠ユニット（３８ｂ）は、座板部（２１）、又は、包合シートストッカーＢ（１８）の上面に取付けられ、回転可能に備えられた包合シートガイドローラＡ（３２）の股間側と、中枠（３８）に回転可能に備えられた包合シートガイドローラＢ（３３）の足背側とに包合シート（１６）を挟んだ状態で、包合シートガイドローラＢ（３３）の股間側に包合シート（１６）を挟むように包合シートガイドローラＣ（３４）を押し出して、包合シートガイドローラＢ（３３）の股間側外周面から足背側へと反転して引き出した請求項６に記載の座椅子型排泄介護装置
【請求項８】
包合シート（１６）を排泄物導入ブロック（５）に備えられた、包合シート外枠（８）中央の、排泄物取り込み口（９）を通し、排泄物導入ブロック（５）の股間側の左右方向に、それぞれ回動可能に備わった左右の肛門開閉アーム（７）の中央部へと引き出し、包合シート送り装置（３０）に装着する請求項１〜７の何れか１項に記載の座椅子型排泄介護装置。
【請求項９】
排泄時に、排泄者の好みにおいて操作することによって、包合シート外枠（８）を排泄者の股間部と包合シート外枠（８）との接触を回避し、排泄者の股間部と包合シート外枠（８）との間に空間を形成し、又は、排泄者の股間部と包合シート外枠（８）とを密着させ排泄物の飛散を防止し、排泄者の股間部をふき取り動作可能な請求項１〜８の何れか１項に記載の座椅子型排泄介護装置。
【請求項１０】
包合シートストッカーＢ（１８）の上下方向を貫いて形成された開口（４０）の、平面形状に沿った形状の中枠軸（３８ａ）の軸上に、前後又は左右のいずれかの方向に対抗させて包合シートガイドローラＢ（３３）を回転可能に備えて一体とした中枠（３８）とし、中枠軸（３８ａ）の軸上の包合シートガイドローラＢ（３３）の足背側を一部、包合シートガイドローラＡ（３２）に乗せかけ、股間側を包合シートガイドローラＣ（３４）によって挟み込んだ状態で、スライドピース付勢体（３７）の伸長力によって包合シートガイドローラＣ（３４）を押し出して、中枠（３８）を保持する構造を成している請求項７〜９の何れか１項に記載の座椅子型排泄介護装置。
【請求項１１】
排泄者の肛門や、股間周囲に直接接触する側の包合シート（１６）の表面に、凹凸を形成した請求項１〜１０の何れか１項に記載の座椅子型排泄介護装置。  
【請求項１２】
排泄者の肛門や、股間周囲に直接接触する側の包合シート（１６）の表面に、コーヒー豆カス、又は、茶葉カスを貼り付けた請求項１〜１１の何れか１項に記載の座椅子型排泄介護装置。
【請求項１３】
薬剤ストッカー（４３）に、薬剤、水分吸着剤や、芳香剤、コーヒー豆カス、茶葉カスをストックし、排泄前後に一定量を供給する構造を備えた請求項１〜１２の何れか１項に記載の座椅子型排泄介護装置。
【発明の詳細な説明】
【技術分野】
【０００１】
本発明は、高齢者、要介護人、身体事情によりトイレ移動の困難な人達が容易に排便可能な座椅子型排泄介護装置に関する。
【背景技術】
【０００２】
高齢者、要介護人、身体事情により移動困難な人達は、一般に設置されたトイレへの移動が困難であり、さらに夜間や、冬季の寒さの中でのトイレ移動は苦痛を伴う、又、一般家庭での寝室や、居間等の直近での排泄は身近にトイレ設備もなく、新たにトイレ設備の固定設置には、その性質上無理があり、移動座位型簡易トイレ等による排泄介護が実施されている。
個々の身体事情等によっては、排泄後の排泄部周囲の、自力拭き取り動作が困難な人も多く、介護者の手作業による拭き取り作業を要し互いの不快感を生じさせ、又、個人の尊厳も傷ついている。
【先行技術文献】
【特許文献】
【０００３】
【特許文献１】特開２００７−１１７２８４号公報
【特許文献２】特開２０１７−８６３１４号公報
【発明の概要】
【発明が解決しようとする課題】
【０００４】
従来の排泄物梱包タイプのポータブルトイレ装置（特許文献１参照）には次のような欠点があった。
排泄肛門部や、排尿部に対しての自動的な拭き取り装置や、拭き取り装置案内位置きめ装置を設けていないため、自力での拭き取り困難な人には排泄物の拭き取り介護者を必要とし、排泄の時間帯によっては排泄を躊躇し、あるいは夜間にはオムツの装着を余儀なくされオムツの不快感を生じている。
【０００５】
又、従来の携帯型排泄介護装置（特許文献２参照）には次のような欠点があった。
包合シートを排泄装置のストッカーへ挿入して引き出す準備において、長い形状を成す包合シートを、排泄介護装置本体の外周部を通過させる必要がありその作業は手間をとる。
【０００６】
包合シートのストッカー部が座椅子の高さ制限によって、座椅子型排泄介護装置本体部ストッカー構造では、包合シート収容容積に制限が生じる。
【０００７】
排泄者の肛門や、股間周囲に直接接触する包合シートの表面について、例えば樹脂シート材等の場合そのままではすべりが生じ拭き取り効果が薄い。
【課題を解決するための手段】
【０００８】
上記課題を解決するために、座椅子型排泄介護装置を身近な所に設置し、座位状態において、排泄部や排尿部に、座椅子型排泄介護装置の排泄取り込み口の包合シート外枠を、自動的に案内して排泄部や排尿部へ位置決め接触させ、排泄物導入ブロックに備えられた肛門開閉装置によって、排泄部や排尿部を拭き取り、排泄の実行を、誰にも気を使うことなく壮快に実行可能とし、又、介護者の排泄による作業の負担を軽減する座椅子型排泄介護装置とする。
【０００９】
包合シートをストッカーへ挿入する前に長円のドーナツ状に折りたたみ、ヒモや、テープ等によって固縛して準備し、排泄拭き取り位置きめ案内装置の外周を通して座椅子型排泄介護装置のストッカーに装着し、ヒモや、テープ等を開放して準備する。
【００１０】
包合シートを予め、座椅子型排泄介護装置の座板部の一部を反転式、又は取外し式として、備えられた包合シートストッカーに容易に、より多回数排泄に対応可能に十分な量をストック出来る構造とする。
【００１１】
排泄者の肛門や、股間周囲に直接接触する包合シートの表面に凹凸を形成する事によってふき取り時のすべりを防止する。
【００１２】
排泄者の足背から股間方向の上下方向に伸縮可能な座椅子型排泄介護装置本体の排泄者股間側方向先端部に、付勢体を介して連結棒で連結した排泄物導入ブロックを設け、排泄物導入ブロックには、排泄者の腰部から腹部方向の前後方向に回動可能で、排泄者の足背から股間方向の上下方向には伸縮可能に付勢体に支えて備えられた排泄物取り込み口を有する包合シート外枠と、排泄者の左手から右手方向の左右方向に排泄者の股間部を中心として回動し、排泄者の股間を開閉可能な肛門開閉アームとを備え、排泄動作時の排泄者臀部の上下動作と、座椅子型排泄介護装置の上下動作との、上下動によって排泄者の股間と、座椅子型排泄介護装置の排泄物取り込み口との位置決め可能な構造を成なし、又、上下動作時には、上下動作方向を中心軸として、排泄物導入ブロックを時計方向や、反時計方向に回動可能に、腰部から腹部方向と、左手から右手方向の左右方向とに平行移動可能とし、排泄者の足背から股間方向の上下方向には、伸縮可能に付勢体に支えて備えた排泄物取り込み口を有する包合シート外枠の伸縮動作により、排泄者臀部と、排泄者の股間肛門部の上下方向の位置決めも可能な構造の座椅子型排泄介護装置とする。
【００１３】
包合シートは、ストッカーに装着後、容易に固縛開放できるように、予め、折りたたみ、長円のドーナツ状にヒモや、テープ等によって、固縛して準備する。
【発明の効果】
【００１４】
本発明を使用することにより、一定の範囲内に座椅子型排泄介護装置を置き、座板部に臀部を着座しセンサーによる信号や、手信号によって、自動的に座椅子型排泄介護装置の排泄物取り込み口と、排泄者の排泄股間部との位置合わせが実行され、正確な排泄物取り込み口の位置合わせによって、排泄や、その後の拭き取り動作を安全に行うことが出来る。
【００１５】
本発明を使用することにより、要介護者や、身体事情によって排泄拭き取りの困難な人であっても、いつでも介護者のサポート無しで排泄可能となる。
【００１６】
包合シートを予め、座椅子型排泄介護装置の座板部の一部を反転式、又は取外し式として、備えられた包合シートストッカーに容易に、より多回数排泄に対応可能に十分な量をストック出来る構造とすることにより多数回の排泄が可能となる。
【００１７】
排泄者の肛門や、股間周囲に直接接触する包合シートの表面に凹凸を形成する事によって、ふき取り時のすべりを防止し拭き取り効果を改善できる。
【図面の簡単な説明】
【００１８】
【図１】本発明の座椅子型排泄介護装置における、排泄物導入ブロックを、自在継ぎ手と連結棒とによって支え、付勢体Ａで連結した拭き取り位置決め案内装置の斜視図である。
【図２】本発明の座椅子型排泄介護装置における、排泄物導入ブロックを保持ブロックと付勢対Ｃを連結棒として支え、付勢体Ａで連結した拭き取り位置決め案内装置の斜視図である。
【図３】本発明の包合シートストッカーＡ形態での座椅子型排泄介護装置本体の全体斜視図である。
【図４】本発明の包合シートストッカーＡ形態での座椅子型排泄介護装置本体のＡ−Ａ断面斜視図である。
【図５】（Ａ）は、本発明の座椅子型排泄介護装置全体と、取り外し式包合シートストッカーＢの斜視図であり、（Ｂ）は、図５（Ａ）のＢ−Ｂ断面斜視図である。
【図６】本発明の反転式包合シートストッカーＢの斜視図である。
【図７】本発明の包合シートストッカーＢ形態であって座椅子に座椅子型排泄介護装置本体を設置した断面図である
【図８】図７のＣ−Ｃ断面図である。
【図９】図７のＤ部拡大図である。
【図１０】本発明の中枠ユニットの中枠の斜視図である。
【図１１】本発明の薬剤供給部の斜視図である。
【図１２】本発明の中枠ユニットの斜視図である。
【図１３】本発明の包合シートストッカーＡ形態であって中枠ユニットを装備しない座椅子型排泄介護装置本体を座椅子に設置した断面図である。
【図１４】本発明の包合シートストッカーＡ形態であって中枠ユニットを装備し、座板マットを透視表示した座椅子に座椅子型排泄介護装置本体を設置した斜視図である。
【発明を実施するための形態】
【００１９】
尚、各部は模式的に示すものであって、本発明は図示また形態（形状、数量等）に限定するものではない。また座椅子型排泄介護装置に関する説明中の位置関係は、対象要介護者の股間から足背方向を上下方向とし、股間側を上方向、足背側を下方向さらに、腰部側から腹部側方向を前後方向とし、右手側を右側、左手側を左側の左右方向とする。
（実施の形態１） 
以下、本発明の実施の形態１を図１〜図１４を用いて説明する。
【００２０】
図１と、図２に示す排泄拭き取り位置きめ案内装置１０は、座椅子型排泄介護装置本体１と、排泄物導入ブロック５とを、座椅子型排泄介護装置本体１の股間側と、排泄物導入ブロック５の足背側とを連結棒３、又は、付勢体Ｃ２ａの両端に備わった自在継ぎ手２又は、保持ブロック２ｂとで互いに連結し、さらに座椅子型排泄介護装置本体１の股間側と、排泄物導入ブロック５の足背側とを、付勢体Ａ４によって上下方向に支えあった構造を成し、排泄物導入ブロック５には、上方向に向いて左右が瓢箪型にくびれた形状の排泄物取り込み口９を形成した包合シート外枠８を備えた構造を成している。
【００２１】
図１と、図２に示す排泄物導入ブロック５と、座椅子型排泄介護装置本体１との連結は、上下方向を軸として連結棒３、又は、付勢体Ｃ２ａの両端に備わった自在継ぎ手２又は、保持ブロック２ｂとで、前後方向と左右方向に二組の四点支持とし対向して備えられているが、前後方向には一点、左右方向には二点支持でも良く、又、前後方向には二点、左右方向には一点支持の最小三点支持であっても良い。
【００２２】
図１と、図２に示す排泄物導入ブロック５と、座椅子型排泄介護装置本体１との連結は、上下方向を軸として左右方向に対向した二点を付勢体Ａ４によって上下方向に支えあった構造を成しているが、前後方向と左右方向との何れか一方に、対向した最小二点支持であっても良く、又、支持点数は対向した複数点であっても良い。
【００２３】
排泄物導入ブロック５は、上方向に向いて左右が瓢箪型にくびれた形状の排泄物取り込み口９を形成した包合シート外枠８を備えている。図１と、図２に示す包合シート外枠８は、排泄者の左右両大腿部の内周面に沿って左右対称に湾曲し、上下方向を軸として排泄者の左右両大腿部の中央に瓢箪型の形状を成し開口した排泄物取り込み口９を備え、左右方向を略軸として排泄者の股間形状に沿って前後方向に湾曲した形状を成している。包合シート外枠８の瓢箪型中央部左右のくびれ部に設けられた外枠ブロック８ａの、それぞれの上下方向に沿って形成された開口溝部８ｂの摺動部には、前後方向に回動可能な前後方向回動軸受け６ａを挿入した軸受けブロック６ｂと開口溝部８ｂの端面とに、付勢体Ｂを支え合わせて挿入し、前後方向回動軸受け６ａを排泄物導入ブロック５に接合する事によって、包合シート外枠８が前後方向に回動可能に、上下方向に摺動可能な構造となっている。こうする事によって、排泄動作時の排泄者臀部の上下動作と、座椅子型排泄介護装置本体１の上下動作との、上下動によって、包合シート外枠８を備えた排泄導入ブロック５が、上下方向を中心軸として、時計方向や、反時計方向に回動し、又、前後方向と、左右方向とに平行移動する。排泄者の足背から股間方向の上下方向には、伸縮可能な付勢体Ｂ６に支えられた排泄物取り込み口９を有する包合シート外枠８の伸縮動作により、排泄者臀部と、排泄者の股間肛門部に押し当てられる肛門開閉アーム７との、上下、前後、左右方向の位置決めと、排泄者の股間と、座椅子型排泄介護装置の排泄物取り込み口９との位置決め可能な構造を成している。
【００２４】
図１と、図２に示す排泄拭き取り位置きめ案内装置１０の、座椅子型排泄介護装置本体１と、排泄物導入ブロック５は、上下方向を軸として一気通貫のそれぞれの形状の排泄物取り込み口９を設けている。
【００２５】
図１と、図２に示す包合シート外枠８は、外枠ブロック８ａの開口溝部８ｂを案内軌条として摺動する軸受けブロック６ｂに、案内軌条方向に沿って伸縮可能に付勢体Ｂ６に支えられた構造を成している。
【００２６】
図１と、図２に示す包合シート外枠８は、排泄者の左右両大腿部の内周面に沿って左右対称に湾曲し、上下方向を軸として排泄者の左右両大腿部に瓢箪型の形状を成し中央部が瓢箪型に開口した排泄物取り込み口９備えて、左右方向を略軸とし排泄者の股間形状に沿って前後方向に湾曲した形状を成している。
【００２７】
包合シート外枠８の瓢箪型中央部左右のくびれ部に設けられた外枠ブロック８ａの、それぞれの上下方向に沿って形成された開口溝部８ｂに、前後方向に回動可能な前後方向回動軸受け６ａを挿入した軸受けブロック６ｂに、付勢体ｂ６を、軸受けブロック６ｂと、開口溝部８ｂの端面とに、支え合わせ、開口溝部８ｂの摺動部に挿入して設置して、前後方向回動軸受け６ａを排泄物導入ブロック５に接合する事によって、包合シート外枠８が前後方向に回動可能に、上下方向に摺動可能な構造を成している。
【００２８】
座椅子型排泄介護装置本体１の上昇により、包合シート外枠８の外周面と、排泄者股間部の左右の大腿部内側との、上方向への摺動動作によって排泄物取り込み口９と、排泄者股間部との前後方向と、左右方向との位置合わせが可能な構造を成し、更に上方向への動作が継続すると、はじめに包合シート外枠８が、排泄者の肛門周辺の臀部に密着して上昇を停止し、更なる座椅子型排泄介護装置本体１の上昇により、包合シート外枠８の外枠ブロック８ａに備えられた付勢体Ｂ６の縮動によって次に、肛門開閉アーム７が排泄者の肛門部へと接触し、包合シート外枠８と、肛門開閉アーム７との上下方向の位置関係が、排泄股間部形状に応じた位置関係を、自動的に実現しより良く接触する構造を成している。
【００２９】
包合シート１６と、排泄者臀部とは、包合シート外枠８に備えられた付勢体Ｂ６の付勢力によって接触して支えられ、包合シート１６が座椅子型排泄介護装置本体１に備えられた送り装置３０によって引き込まれると、付勢体Ｂ６の更なる収縮によって包合シート１６と、排泄者臀部との接触に隙間が生じ、包合シート１６の引き込み摩擦力が軽減される。
【００３０】
図１と、図２に示す軸受けブロック６ｂは、左右方向を軸として、前後方向に回動可能に、前後方向回動軸受け６ａを介して排泄物導入ブロック５に備えられている。
【００３１】
図１と、図２に示す軸受けブロック６ｂの案内軌条は、上下方向に摺動可能に形成され、包合シート外枠８の前後方向への回動によって、前後方向回動軸受け６ａを中心として同じく傾斜する事となる。
【００３２】
図１に示す自在継ぎ手２は、球面軸受け構造や、柔軟なゴムや、樹脂材等による軸受け構造としたピン接合とした構造であっても良い。
【００３３】
図１に示す連結棒３は、両端部に自在継ぎ手２を備えた構造を成している。
【００３４】
図１に示す付勢体Ａ４は、コイルや、板、丸棒形状等の付勢体であっても良い
【００３５】
図２に示す保持ブロック２ｂは、前後方向、左右方向の何れかを軸として回動可能に、又は、前後方向、左右方向とを共に球面軸受けとして前後方向、左右方向同時に回動可能に、排泄物導入ブロック５の足背側と、座椅子型排泄介護装置本体１の股間側に備えられている。
【００３６】
図１に示す自在継ぎ手２と、連結棒３とは、図２に示す保持ブロック２ｂと、付勢体Ｃ２ａとしても良く、付勢体Ｃ２ａは、コイルや、板、丸棒形状等、の付勢体であっても良い。
【００３７】
図２に示す付勢体Ｃ２ａは、排泄物導入ブロック５の足背側と、座椅子型排泄介護装置本体１の股間側とに備えられた、保持ブロック２ｂのそれぞれ一端に取付けられ、排泄物導入ブロック５と、座椅子型排泄介護装置本体１とを連結した構造を成している。
【００３８】
図１に示す排泄物導入ブロック５は、上下方向に向いて開口した排泄物取り込み口９を備えていて、座椅子型排泄介護装置本体１と、連結棒３又は、付勢体２ａの両端に備わった自在継ぎ手２又は、保持ブロック２ｂを介して連結した構造を成し、付勢体Ａ４によって上下方向に支えあった構造を成している。
又、排泄物導入ブロック５の左右方向にそれぞれ上下方向に向いて左右方向に開閉する肛門開閉アーム７を備え、さらに排泄物導入ブロック５には、前後方向回動軸受け６ａに支えられ、前後方向に回動可能な包合シート外枠８を取付けた構造を成している。
【００３９】
図３と、図４に示す包合シート外枠８は、包合シートストッカーＡ１７から引き出された包合シート１６を、包合シート外枠８の内周面へと引き込み座椅子型排泄介護装置本体１に備えられた包合シート送り装置３０へ案内している。
【００４０】
図３、図４に示す包合シート１６を、包合シートストッカーＡ１７、又は、図５の図（Ｂ）に示す包合シートストッカーＢ１８から引き出し、排泄物取り込み口９の中を股間側へ通し、包合シート外枠８の外周面から内周面を通り、左右一対に備わった肛門開閉アーム７の左右の中心を通し、股間側の包合シート送り装置３０へと引き出され、熱着クッション２７と、熱着ヒータ２８、切断ヒータ２９との間を通し、足背側の包合シート送り装置３０によって引き込ませて準備し、排泄終了後に熱着、接着切断して排泄物を封入して切り離される構造を成している。
【００４１】
図３と、図４に示す送り装置３０は、前後方向を中心として、左右一対に、くびれのある段つきローラー形状で配され、熱着クッション２７と、熱着ヒータ２８と、切断ヒータ２９を間にして股間側と、足背側の２段配置として備えられ、送り駆動アクチュエータ３１によってそれぞれ回転駆動し左右一対のくびれのあるローラー形状で、包合シート１６を挟み込み送り出す構造を成している。
【００４２】
図４に示す包合シートストッカーＡ１７は、座椅子型排泄介護装置本体１の排泄者股間側外周面に形成されている。
【００４３】
図６に示す包合シートストッカーＢ１８は、座椅子２０の座板部２１中央部に反転可能に、備えられている。
【００４４】
図５（Ａ）に示す包合シートストッカーＢ１８は、座椅子２０の座板部２１中央部に取り外し可能に備えても良い。
【００４５】
図５（Ａ）に示す包合シートストッカーＢ１８は、上下方向を貫いて、開口４０を形成している。
【００４６】
図５に示す包合シートストッカーＢ１８を、座板部２１に備えることによって、排泄時の汚染範囲を座板部２１上面の一部分の範囲内に制限可能で、汚染時の清掃作業を楽に出来る。
【００４７】
図７に示す連結ブラケット２４は、上下動アクチュエータ２３の伸縮によって上下動動作する構造を成している。
【００４８】
図７に示す座椅子型排泄介護装置本体１は、上下動アクチュエータ２３の伸縮動によって上下動する連結具２４に固定して備えられ、排泄者の足背側から股間側の上下方向に伸縮する構造を成している。
【００４９】
図７に示す上下動アクチュエータ２３は、電動シリンダーや、電動回転機によるストローク機構方式や、空圧（ガス圧）、油圧、水圧シリンダーとしても良い。
【００５０】
図７に示す、上下動用軌条２５は、座板部２１の裏面から下方向に伸びた取付金具２２に備えられ、上下動アクチュエータ２３の伸縮動によって上下動する連結具２４を上下動用軌条２５に備えている。
【００５１】
図１と、図２に示す肛門開閉アーム７は、排泄物導入ブロック５の前後方向を軸として左右一対平行に備えられ、排泄物導入ブロック５の前後方向の軸上の前方にそれぞれ左右一対平行に備えられた開閉アーム回動アクチュエータ２６によって、排泄者の股間部を左右方向に開閉するように回動する。
【００５２】
図５に示す包合シート１６を、排泄者の肛門や、股間周囲に直接接触する側の包合シート１６の表面に凹凸を形成する事によってふき取り時の肛門周囲との排泄物によるすべりを防止する。
【００５３】
図５に示す包合シート１６に、排泄者の肛門や、股間周囲に直接接触する側の包合シート１６の表面にコーヒー豆カスや、茶葉カス、活性炭等を脱臭、吸湿剤として、糊剤や、高周波加工等によって貼り付け、防臭と、吸湿性と、ふき取り効果機能とを同時に持たせても良い。
【００５４】
図５に示す排泄者の肛門や、股間周囲に直接接触する側の包合シート１６の表面に凹凸の形状は、網目状や、間隔を持たせた凹凸の形状としても良い。
【００５５】
図７に示す上下動アクチュエータ２３は、排泄者の座位を検出する座位検出センサー４１によって検出し、検出時には上下動アクチュエータ２３を上方へ作動させ、非検出時に0は下方へと自動的に作動出来る構造としても良い。
【００５６】
図７に示す上下動アクチュエータ２３は、排泄者の好みに応じて座位手信号発信機４２の電気的な操作や、電磁バルブ、手動バルブの操作によって任意に上下動作を操作できる構造であっても良い。
【００５７】
図７に示す座位検出センサー４１は、電気開閉器、音声でのＯＮ，ＯＦＦスイッチ、静電センサー、光電センサー、タッチセンサー等で操作し、電磁バルブでの上下動操作は手動バルブでの操作であっても良い。
（実施の形態２） 
以下、本発明の実施の形態２を図１〜図１４を用いて説明する。
【００５８】
図１２に示す中枠ユニット３８ｂは、ガイドローラブラケット３５と、包合シートガイドローラＡ３２と、スライドピース摺動部３５ａと、包合シートガイドローラＣ３４と、付勢体３７と、中枠３８とで構成され座板部２１、又は、包合シートストッカーＢの上面に備えられている。
【００５９】
図１２に示す中枠ユニット３８ｂは、座板部２１や、包合シートストッカーＢ１８の上面に取付けられている。
【００６０】
図８と、図９と図１２とに示す包合シートガイドローラＡ３２は、両端の軸部をガイドローラブラケット３５に回転可能に取付けられている。
【００６１】
図１０に示す中枠３８は、図５（Ｂ）に示す開口４０の形状に添った同形状の中枠軸３８ａと、その軸上に回転可能に左右方向と、前後方向とに向かい合わせて取付けられた包合シートガイドローラＢ３３とで一体として構成されている。
【００６２】
図８と、図９と、図１０とに示す中枠軸３８ａの軸上の包合シートガイドローラＢ３３は、包合シート１６を包合シートガイドローラＡ３２と、包合シートガイドローラＣ３４とで挟込む様に包合シートガイドローラＡ３２の股間側に、乗せた状態で装着する。
【００６３】
図８と、図９と、図１２とに示す包合シートガイドローラＣ３４は、両端の軸部をガイドローラブラケット３５のスライドピース摺動部３５ａをスライドピース付勢体３７によって摺動するスライドピース３６に回転可能に支えられて、ガイドローラブラケット３５に回転可能に取付けられた包合シートガイドローラＡ３２の股間側に包合シート１６を挟んで乗せ掛かった状態で取付けられている。
【００６４】
図８と、図９と、図１２とに示すスライドピース３６は、ガイドローラブラケット３５の、それぞれのスライドピース摺動部３５ａにスライドピース付勢体３７に支えられて取付けられ、スライドピース付勢体３７の伸縮力によって包合シートガイドローラＣ３４を伸縮する構造を成している。
【００６５】
図９と、図１２とに示す包合シートガイドローラＡ３２は回転可能に、包合シートガイドローラＣ３４は回転可能でスライドピース付勢体３７によって伸縮可能に、両端の軸部を左右のガイドローラブラケット３５に支えられて一対として開口４０の前後方向と左右方向に向かい合わせて取付けられている。
【００６６】
図１０に示す中枠３８の包合シートガイドローラＢ３３を、ガイドローラブラケット３５に取付けられた包合シートガイドローラＡ３２には股間側に、包合シートガイドローラＣ３４には足背側に、包合シート１６を挟み込むように包合シートガイドローラＣ３４を縮動させて押し合わせて装着し、包合シートガイドローラＣ３４両端のスライドピース付勢体３７の付勢力によって装着状態を維持可能な構造を成し、スライドピース３６が伸縮する事によって、包合シートガイドローラＣ３４も伸縮して一体とした中枠３８を上下方向に抜き差し装着出来る。
【００６７】
図８に示す包合シートストッカーＢ１８から包合シート１６を包合シートストッカーＢ１８の足背側方向へ引き出し、包合シートストッカーＢ１８の足背側の端面に沿って股間側方向へと反転し、包合シートガイドローラＡ３２と、包合シートガイドローラＣ３４と、包合シートガイドローラＢ３３との間を通して挟んだ状態から、包合シートガイドローラＢ３３の股間側外周面から足背側へと反転して引き出し、排泄物導入ブロック５に備えられた、包合シート外枠８中央の、排泄物取り込み口９を通し、排泄物導入ブロック５の股間側の左右方向にそれぞれ回動可能に備わった左右一対の肛門開閉アーム７の中央部へと引き出し、座椅子型排泄介護装置本体１の股間側と、足背側とに左右一対に備えられた、包合シート送り装置３０に挟んだ状態で準備する。
排泄時に、包合シート外枠８を排泄者の股間部へと座椅子型排泄介護装置本体１によって上昇させず、排泄者の股間部と包合シート外枠８とを接触もさせず、排泄者の好みにおいて排泄者の股間部と包合シート外枠８との間に空間を形成し、排泄時の、排泄者の股間部と包合シート外枠８接触による違和感を防止する。
【００６８】
図３に示す包合シートストッカーＡ１７から、包合シート１６を股間側方向へと引き出し、図８に示す包合シートガイドローラＡ３２と、包合シートガイドローラＢ３３と、包合シートガイドローラＣ３４との間を通して挟んだ状態から、包合シートガイドローラＢ３３の股間側外周面から足背側へと反転して引き出し、排泄物導入ブロック５に備えられた、包合シート外枠８中央の、排泄物取り込み口９を通し、排泄物導入ブロック５の股間側の左右方向にそれぞれ回動可能に備わった左右一対の肛門開閉アーム７の中央部へと引き出し、座椅子型排泄介護装置本体１の股間側と、足背側との左右一対に備えられた、包合シート送り装置３０に挟んだ状態で準備する。
排泄時に座椅子型排泄介護装置本体１を上昇させず、排泄者の股間部と包合シート外枠８の接触を防止し、排泄者の股間部と包合シート外枠８との間に空間を形成したままで、排泄時の排泄者の股間部と包合シート外枠８の接触による違和感を防止することも出来る。
【００６９】
図１３に示す包合シートストッカーＡ１７から、包合シート１６を股間側方向へと引き出し、包合シート外枠８の外周面から内周面へ通して足背側へと反転して引き出し、排泄物導入ブロック５に備えられた、包合シート外枠８中央の、排泄物取り込み口９を通し、排泄物導入ブロック５の股間側の左右方向にそれぞれ回動可能に備わった左右一対の肛門開閉アーム７の中央部へと引き出し、座椅子型排泄介護装置本体１の股間側と、足背側との左右一対に備えられた、包合シート送り装置３０に挟んだ状態で準備する中枠ユニット３８ｂを装備しない構造であっても良い、但しこの構造の場合は排泄者の股間部と包合シート外枠８とは接触してからの排泄となる。
【００７０】
図１３に示すように、座板部２１上面に中枠ユニット３８ｂを装備せず、排泄時に、排泄者の臀部周囲と包合シート外枠８とを接触させ、肛門開閉アーム７を排泄者の肛門部へ接触させての排泄実行する構造としても良い。  
【００７１】
排泄終了後の肛門部のふき取り動作は、座椅子型排泄介護装置本体１に備えられた上下動アクチュエータ２３によって座椅子型排泄介護装置本体１と、包合シート外枠８と、肛門開閉アーム７とを備えた排泄物導入ブロック５とが上昇すると、排泄拭き取り位置きめ案内装置１０の案内機能によって最初に排泄者の臀部に包合シート外枠８を押し当てて、次に排泄者の股間肛門部に押し当てられる肛門開閉アーム７と、排泄者の肛門部との、上下と、前後と、左右方向との位置決めが実行され、排泄終了によって肛門開閉アーム７の開閉動作と、包合シート送り装置３０の連動機能によって、排泄終了後の肛門部包合シート１６の凸凹面でふき取り動作を行う構造を成している。
【００７２】
排泄時の、排泄者の臀部周囲と包合シート外枠８とを接触させ、肛門開閉アーム７を排泄者の肛門部へ接触させての排泄も可能なことは言うまでもない。
【００７３】
図８に示す包合シートガイドローラＡ３２は、両端の軸部を、回転可能に左右に設けられたガイドローラブラケット３５に支えられて、包合シートストッカーＢ１８の上面部に前後、左右方向に対向させて備えられている。
【００７４】
図８と、図９に示す包合シートガイドローラＣ３４は、両端の軸部を、左右に備えられたガイドローラブラケット３５のそれぞれのスライドピース３６に回転可能に備えられている。
【００７５】
図９に示すスライドピース３６は、包合シートストッカーＢ１８の上面部に、包合シートガイドローラＣ３４の、両端部方向に配されたガイドローラブラケット３５の、スライドピース摺動部３５ａに、摺動部端面３５ｂと、スライドピース３６との間に、スライドピース付勢体３７を挟んだ状態で、摺動可能に支えあった構造を成している。
【００７６】
図８、図９、に示す包合シートガイドローラＢ３３を、包合シートストッカーＢ１８の上下方向を貫いて形成された図５（Ｂ）に示す開口４０の形状に沿った形状の、図１０に示す中枠軸３８ａの軸上に、回転可能に前後、左右方向に対向させて備え、包合シートガイドローラＢ３３を、包合シートガイドローラＡ３２の股間側と、包合シートガイドローラＣ３４の足背側との間に、包合シート１６を挟んで接触させて備え、図９に示す包合シートガイドローラＣ３４の、左右の軸部を回転可能に保持したスライドピース付勢体３７の、伸長力によって包合シートガイドローラＣ３４を押し出して、包合シートガイドローラＣ３４と、包合シートガイドローラＡ３２との間に保持する構造を成している。
【００７７】
包合シートガイドローラＡ３２と、包合シートガイドローラＢ３３と、包合シートガイドローラＣ３４とを一組として、開口４０の形状に沿って前後、又は、左右方向の何れかに、最小限二組を対向して備える事が必要で、さらに本願発明例で示すように前後、左右方向のそれぞれに対向させて、包号シート１６のより良い流れを実現する数量であっても良く、さらに増設して備えた構造であっても良い。
【００７８】
図１０に示す中枠３８は、排泄物取り込み口９の、平面形状に沿った形状の回転保持軸としての中枠軸３８ａの軸上に、回転可能に備えられた、包合シートガイドローラＢ３３で構成され、スライドピース付勢体３７の伸長力によって包合シート１６を挟んだ状態で包合シート１６を送り出す構造を成している。
【００７９】
図１０に示す中枠軸３８ａは、排泄物取り込み口９の、平面形状に沿った形状であってその形は自由であっても良く図１０に示すループ形状であっても良い。
【００８０】
図１０に示す中枠３８は、中枠軸３８ａの軸上に備えられた包合シートガイドローラＢ３３の数量を、包合シート１６を挟んだ状態で、より良く送り出すことの可能な数量であって良い。
【００８１】
図９に示す座板マット３９は、排泄者着座時のフィットクッション機能と、包合シートストッカーＢ１８上に備えられた装置の保護機能とを備えている。
【００８２】
図１１に示す薬剤ストッカー４３に、薬剤、例えば水分吸着剤や、芳香剤、コーヒー豆カス、茶葉カス等をストックし排泄時や排泄終了時に一定量を、フレキシブルスクリュウコンベヤー４５を駆動機４４の駆動によって供給する構造を成している。
【００８３】
フレキシブルスクリュウコンベヤー４５の起動は図７に示す座位検出センサー４１の検出での自動起動としても良く、図１１に示すスクリュウコンベヤー起動スイッチでの任意な起動であっても良い。
【００８４】
図１１に示す薬剤ストッカー４３内の、薬剤、水分吸着剤、芳香剤、コーヒー豆カス、茶葉カス等の供給量は、座位検出センサー４１、又は、スクリュウコンベヤー起動スイッチ４６の操作後一定時間起動される事によって定量送りされる。
【符号の説明】
【００８５】
１    座椅子型排泄介護装置本体
２    自在継ぎ手
２ａ  付勢体Ｃ
２ｂ  保持ブロック
３    連結棒
４    付勢体Ａ
５    排泄物導入ブロック
６    付勢体Ｂ
６ａ  前後方向回動軸受け
６ｂ  軸受けブロック
７    肛門開閉アーム
８    包合シート外枠
８ａ  外枠ブロック
８ｂ  開口溝部
９    排泄物取り込み口
１０  排泄拭き取り位置きめ案内装置
１６  包合シート
１７  包合シートストッカーＡ
１８  包合シートストッカーＢ
２０  座椅子
２１  座板部
２２  取付金具
２３  上下動アクチュエータ
２４  連結具
２５  上下動用軌条
２６  開閉アーム回動アクチュエータ
２７  熱着クッション
２８  熱着ヒータ
２９  切断ヒータ
３０  包合シート送り装置
３１  送り駆動アクチュエータ
３２  包合シートガイドローラＡ
３３  包合シートガイドローラＢ
３４  包合シートガイドローラＣ
３５  ガイドローラブラケット
３５ａスライドピース摺動部
３５ｂ摺動部端面
３６  スライドピース
３７  スライドピース付勢体
３８  中枠
３８ａ中枠軸
３８ｂ中枠ユニット
３９  座板マット
４０  開口
４１  座位検出センサー
４２  座位手信号発信機
４３  薬剤ストッカー
４４  スクリュウー駆動機
４５  フレキシブルスクリュウコンベヤー
４６  スクリュウコンベヤー起動スイッチ
【図１】
2019071980.tif 000003
【図２】
2019071980.tif 000004
【図３】
2019071980.tif 000005
【図４】
2019071980.tif 000006
【図５】
2019071980.tif 000007
【図６】
2019071980.tif 000008
【図７】
2019071980.tif 000009
【図８】
2019071980.tif 000010
【図９】
2019071980.tif 000011
【図１０】
2019071980.tif 000012
【図１１】
2019071980.tif 000013
【図１２】
2019071980.tif 000014
【図１３】
2019071980.tif 000015
【図１４】
2019071980.tif 000016
【手続補正書】
【提出日】平成30年9月29日(2018.9.29)
【手続補正１】
【補正対象書類名】特許請求の範囲
【補正対象項目名】全文
【補正方法】変更
【補正の内容】
【特許請求の範囲】
【請求項１】
座椅子（２０）の座板部（２１）に、反転可能に、又は、取り外し可能に上下方向を貫いて開口（４０）を形成した包合シートストッカーＢ（１８）を備え、包合シートストッカーＢ（１８）から、包合シート（１６）を引き出して開口（４０）の形状に沿って開口（４０）の周囲に前後方向と、左右方向とに向かい合わせて備えられた包合シートガイドローラＡ（３２）の股間側から包合シートガイドローラＣ（３４）の足背側へと沿わせて、中枠ユニット（３８ｂ）に備えられた包合シートガイドローラＢ（３３）で挟み込んだ状態で、上方（股間側）から下方（足背側）へと引き出し、包合シート外枠（８）の内周へと反転させて通して排泄物取り込み口（９）に導き、排泄物導入ブロック（５）の股間側の左右方向に、それぞれ回動可能に備わった左右の肛門開閉アーム（７）の中央部へと引き出し、包合シート送り装置（３０）に装着して準備し、座椅子型排泄介護装置本体（１）の上下動によって、排泄時の臀部と、包合シート外枠（８）との、空間を排泄者の好みにおいて形成可能とする座椅子型排泄介護装置。
【請求項２】
座椅子型排泄介護装置本体（１）の股間側の包合シートストッカーＡ（１７）から、包合シート（１６）を引き出して開口（４０）の形状に沿って開口（４０）の周囲に前後方向と、左右方向とに向かい合わせて備えられた包合シートガイドローラＡ（３２）の股間側から包合シートガイドローラＣ（３４）の足背側へと沿わせて、中枠ユニット（３８ｂ）に備えられた包合シートガイドローラＢ（３３）で挟み込んだ状態で、上方（股間側）から下方（足背側）へと引き出し、包合シート外枠（８）の内周へと反転させて通して排泄物取り込み口（９）に導き排泄物導入ブロック（５）の股間側の左右方向に、それぞれ回動可能に備わった左右の肛門開閉アーム（７）の中央部へと引き出し、包合シート送り装置（３０）に装着して準備し、座椅子型排泄介護装置本体（１）の上下動によって、排泄時の臀部と、包合シート外枠（８）との、空間を排泄者の好みにおいて形成可能とする座椅子型排泄介護装置。
【請求項３】
座椅子型排泄介護装置本体（１）の股間側の包合シートストッカー（１７）から、包合シート（１６）を引き出して包合シート外枠（８）の内周へと反転させて通して排泄物取り込み口（９）に導き、排泄物導入ブロック（５）の股間側の左右方向に、それぞれ回動可能に備わった左右の肛門開閉アーム（７）の中央部へと引き出し、包合シート送り装置（３０）に装着して準備し、座椅子型排泄介護装置本体（１）の上下動によって、排泄時の臀部と、包合シート外枠（８）とを接触させる、座椅子型排泄介護装置。
【請求項４】
座椅子型排泄介護装置本体（１）の股間側に、排泄者の臀部に包合シート（１６）を押し当てるための包合シート外枠（８）を備えた排泄物導入ブロック（５）と、座椅子型排泄介護装置本体（１）とを、付勢体Ａ（４）によって上下方向に支えあった構造とした排泄拭き取り位置きめ案内装置（１０）を備え、排泄物導入ブロック（５）が座椅子型排泄介護装置本体（１）に対して上下方向を軸として時計方向と、反時計方向とに回動し、前後方向と左右方向に平行移動可能な構造の請求項１〜３の何れか１項に記載の座椅子型排泄介護装置。
【請求項５】
座椅子型排泄介護装置本体（１）と、排泄物導入ブロック（５）とを、座椅子型排泄介護装置本体（１）の股間側に備えられた自在継ぎ手（２）と、排泄物導入ブロック（５）の足背側に備えられた自在継ぎ手（２）とを、連結棒（３）の両端部に接続し、座椅子型排泄介護装置本体（１）の股間側と、排泄物導入ブロック（５）の足背側とを、
付勢体Ａ（４）によって上下方向に支えあって連結し排泄拭き取り装置位置決め案内装置（１０）として備えた請求項４の何れか１項に記載の座椅子型排泄介護装置。
【請求項６】
座椅子型排泄介護装置本体（１）の股間側に備えられ、前後方向と左右方向を軸として回動可能な保持ブロック（２ｂ）と、排泄物導入ブロック（５）の足背側に備えられ前後方向と左右方向とを軸として回動可能な保持ブロック（２ｂ）とを、付勢体Ｃ（２ａ）の両端部に接続し、上下方向に支えあって連結した請求項４の何れか１項に記載の座椅子型排泄介護装置。
【請求項７】
包合シート外枠（８）は、上下方向を軸として排泄者の左右両大腿部の内周面に沿って左右対称に湾曲するとともに、左右方向を略軸として排泄者の股間形状に沿って前後方向に湾曲し、中央部が瓢箪型に開口した排泄物取り込み口（９）備え、上下方向に動作可能に、前後方向には左右方向を略軸として回動可能に排泄物導入ブロック（５）の股間側に取付けられている請求項１〜６の何れか１項に記載の座椅子型排泄介護装置。
【請求項８】
包合シート外枠（８）の瓢箪型中央部左右のくびれ部に設けられた外枠ブロック（８ａ）の、それぞれの上下方向に沿って形成された開口溝部（８ｂ）摺動部には、前後方向に、回動可能な前後方向回動軸受け（６ａ）を挿入した軸受けブロック（６ｂ）端面と、開口溝部（８ｂ）の端面とに、付勢体Ｂ（６）を支え合わせて挿入し、前後方向回動軸受け（６ａ）に、排泄物導入ブロック（５）を、接合する事によって、外枠ブロック（８ａ）に備えられた包合シート外枠（８）が上下方向に摺動可能に前後方向には回動可能に備えられたな請求項７に記載の座椅子型排泄介護装置。
【請求項９】
包合シートストッカーＢ（１８）の上下方向を貫いて形成された開口（４０）の、平面形状に沿った形状の中枠軸（３８ａ）の軸上に、前後又は左右のいずれかの方向に対抗させて包合シートガイドローラＢ（３３）を回転可能に備えて一体とした中枠（３８）とし、中枠軸（３８ａ）の軸上の包合シートガイドローラＢ（３３）の足背側を一部、包合シートガイドローラＡ（３２）に乗せかけ、股間側を包合シートガイドローラＣ（３４）によって挟み込んだ状態で、スライドピース付勢体（３７）の伸長力によって包合シートガイドローラＣ（３４）を押し出して、中枠（３８）を保持し、又は取り外し可能な構造を成している請求項１または２に記載の座椅子型排泄介護装置。
【請求項１０】
排泄者の肛門や、股間周囲に直接接触する側の包合シート（１６）の表面に、凹凸を形成した請求項１〜９の何れか１項に記載の座椅子型排泄介護装置。
【請求項１１】
排泄者の肛門や、股間周囲に直接接触する側の包合シート（１６）の表面に、コーヒー豆カス、又は、茶葉カスを貼り付けた請求項１〜９の何れか１項に記載の座椅子型排泄介護装置。
【請求項１２】
薬剤ストッカー（４３）に、薬剤、水分吸着剤や、芳香剤、コーヒー豆カス、茶葉カスをストックし、排泄前後に一定量を供給する構造を備えた請求項１〜１２の何れか１項に記載の座椅子型排泄介護装置。
【手続補正２】
【補正対象書類名】明細書
【補正対象項目名】００６１
【補正方法】変更
【補正の内容】
【００６１】  図１０に示す中枠３８は、図５（Ｂ）に示す開口４０の形状に沿った同形状の中枠軸３８ａと、その軸上に回転可能に左右方向と、前後方向とに向かい合わせて取付けられた包合シートガイドローラＢ３３とで一体として構成されている。
【手続補正書】
【提出日】平成30年11月15日(2018.11.15)
【手続補正１】
【補正対象書類名】特許請求の範囲
【補正対象項目名】請求項１２
【補正方法】変更
【補正の内容】
【請求項１２】
薬剤ストッカー（４３）に、薬剤、水分吸着剤や、芳香剤、コーヒー豆カス、茶葉カスをストックし、排泄前後に一定量を供給する構造を備えた請求項１〜１１の何れか１項に記載の座椅子型排泄介護装置。
【手続補正書】
【提出日】平成31年1月15日(2019.1.15)
【手続補正１】
【補正対象書類名】特許請求の範囲
【補正対象項目名】請求項５
【補正方法】変更
【補正の内容】
【請求項５】
座椅子型排泄介護装置本体（１）と、排泄物導入ブロック（５）とを、座椅子型排泄介護装置本体（１）の股間側に備えられた自在継ぎ手（２）と、排泄物導入ブロック（５）の足背側に備えられた自在継ぎ手（２）とを、連結棒（３）の両端部に接続し、座椅子型排泄介護装置本体（１）の股間側と、排泄物導入ブロック（５）の足背側とを、付勢体Ａ（４）によって上下方向に支えあって連結し排泄拭き取り装置位置決め案内装置（１０）として備えた請求項４に記載の座椅子型排泄介護装置。
【手続補正２】
【補正対象書類名】特許請求の範囲
【補正対象項目名】請求項６
【補正方法】変更
【補正の内容】
【請求項６】
座椅子型排泄介護装置本体（１）の股間側に備えられ、前後方向と左右方向を軸として回動可能な保持ブロック（２ｂ）と、排泄物導入ブロック（５）の足背側に備えられ前後方向と左右方向とを軸として回動可能な保持ブロック（２ｂ）とを、付勢体Ｃ（２ａ）の両端部に接続し、上下方向に支えあって連結した請求項４に記載の座椅子型排泄介護装置。
【手続補正３】
【補正対象書類名】特許請求の範囲
【補正対象項目名】請求項９
【補正方法】変更
【補正の内容】
【請求項９】
包合シートストッカーＢ（１８）又は、包合シートストッカーＡ（１７）の上下方向を貫いて形成された開口（４０）の、平面形状に沿った形状の中枠軸（３８ａ）の軸上に、前後又は左右のいずれかの方向に対抗させて包合シートガイドローラＢ（３３）を回転可能に備えて一体とした中枠（３８）とし、中枠軸（３８ａ）の軸上の包合シートガイドローラＢ（３３）の足背側を一部、包合シートガイドローラＡ（３２）に乗せかけ、股間側を包合シートガイドローラＣ（３４）によって挟み込んだ状態で、スライドピース付勢体（３７）の伸長力によって包合シートガイドローラＣ（３４）を押し出して、中枠（３８）を保持し、又は取り外し可能な構造を成している請求項１または２に記載の座椅子型排泄介護装置。